(57)【特許請求の範囲】
【請求項１】
取外し可能に連結できるシェル部分（１、２）を具備し、これらシェル部分は接合した時に火災センサ（２０）と、アラーム発生器（２１）と、電力源（２２）とを収容し且つ懸垂手段（８、９；１６、１７）を備えるシェルを形成する火災報知器において、
前記懸垂手段（８、９；１６、１７）は前記シェル半体が接合された時に該二つのシェル部分（１、２）の間の境界面または界面（６）の領域に配置される摩擦固定装置を具備し、当該火災報知器を懸垂するために照明器具を保持するケーブル、ロッドまたはチェーンを該摩擦固定装置に接続しつつ、前記シェルを該ロッド、ケーブル、またはチェーン周りで閉じることができるように、閉じられたシェルの両端部（４、５）の間で延びる通路に該摩擦固定装置が配置されることを特徴とする火災報知器。
【請求項２】
前記摩擦固定装置は一つの要素（８、９）を具備し、該要素は弾性的に変形可能で弾力のある材料で形成され、且つ前記シェル半体（１、２）の一方に接続され、さらに前記シェル部分を接合した時に前記ケーブル、ロッドまたはチェーンにより圧縮されて変形するのに適することを特徴とする請求項１に記載の火災報知器。
【請求項３】
前記摩擦固定装置は当該火災報知器が吊られるケーブル（１４）用の湾曲路を形成するように、前記通路の方向に対して横方向に延びる杭（１６）を具備することを特徴とする請求項１に記載の火災報知器。
【請求項４】
前記摩擦固定装置は各シェル半体（１、２）に弾性要素（８、９）を有し、該弾性要素（８、９）はそれらの間にケーブル、ロッドまたはチェーンを挟持する間、前記シェル（３）を形成するために前記シェル部分（１、２）が結合した時に互いに圧縮されるように配置されることを特徴とする請求項１に記載の火災報知器。
【発明の詳細な説明】
【０００１】
本発明は請求項１の序文で定義した種類の火災報知器に関する。
【０００２】
したがって、本発明は二つのシェル部分、言い換えるとシェルを形成するために取り外し可能に接合することができるシェル部分を有する火災報知器に関し、このシェルは火災報知器のセンサ、アラーム発生器（alarm emitter)および電力源を収容してもよく、建造物の部屋に火災報知器を懸垂させることができるようにする手段を備える。
【０００３】
通常、このような火災報知器は例えば壁の高い所や部屋の天井のような、建造物の部屋の中の高い所に設置される。
【０００４】
多くの家主または共同住宅の住人は、火災報知器を所定の好適な位置へ設置する作業を実行するのに大変な困難が伴うことを知っている。更なる厄介な欠点は居住空間の壁および天井が硬い材料（コンクリートなど）または脆くて弱い材料で形成されることが多いことである。この種の欠点により、家、共同住宅および他の居住空間の居住者は不本意ながら火災報知器を入手して取付けるのを断念してしまう。
【０００５】
本発明の目的は、火災報知器を居住空間内の適当な位置または受容可能な位置に設置することを非常に容易に且つ簡単にする懸垂手段を有する火災報知器を提供することにある。本発明の別の目的は、締結具を使用する必要のない懸垂手段、すなわち火災報知器を締結すべき表面を孔開けして詰めものをし、そしてこのような表面内に締結具を打ち込む（ねじ込むまたは釘打ちする）必要のない懸垂手段を有し、この懸垂手段が火災報知器を懸垂させるのに接着装置の使用を必要としない火災報知器を提供することにある。
【０００６】
したがって、本発明の目的は、火災報知器を別の場所に移す時でさえも火災報知器を吊す天井や内壁の表面を傷つけない懸垂手段を有する火災報知器を提供することにある。
【０００７】
これら目的は本発明において請求項１で定義した火災報知器により達成される。
【０００８】
火災報知器は取外し可能に接合することができる二つの部分を有する分離シェル構造体であり、この分離シェル構造体は結合した時に火災報知器のセンサ、アラーム発生器および電力源を収容する囲いを形成する。火災報知器を懸垂する手段は二つの結合可能なシェル部分の間の境界面または界面に配置された摩擦固定手段を有する。摩擦固定手段は照明器具を保持するケーブル、ロッドまたはチェーンに火災報知器が支持されるように、このケーブル、ロッドまたはチェーンを挟持しながら、摩擦が起こるようにシェル半体を結合するのに適する。
【０００９】
一つの実施例では、摩擦固定装置は発泡プラスチックバンドまたは発泡プラスチックストラップから成り、シェル部分を結合する時にこれらバンドまたはストラップ内にケーブル、ロッドまたはチェーンが固定される。
【００１０】
本発明の火災報知器は天井の下方の高い所に迅速且つ簡単に、照明器具を天井から懸垂するケーブル、ロッドまたはチェーンに取付けられる。
【００１１】
或る実施例によれば、火災報知器は結合した時にケーブル、ロッドまたはチェーンが延びる軸線周りで回転対称な本体を形成する二つの相互に同一形状のシェル半体を具備する。
【００１２】
例示的な実施例と添付の図面とを参照して本発明を詳細に説明する。
【００１３】
図１〜図３に示したように、本発明の火災報知器は本来閉じられているシェルまたはケース３を備え、このシェル３はその両端に開口４、５を有する。シェル３は二つの相互に同一形状であるシェル半体１、２で構成され、これらシェル半体１、２は軸線７を含む分割平面６で接する。シェル３は本質的に軸線７周りで回転対称である。シェル３（シェル半体１、２）は火災報知器のセンサと、アラーム発生器（alarm emitter)と、電力源（バッテリ）とを収容する。各シェル半体１、２は各シェル半体１、２の開口面上に境界面を有する発泡プラスチックストリップ８、９を備え、これら開口面は分割平面と同一である。図示したシェル半体１、２はヒンジ手段１０により互いにヒンジで接続され、このためシェル半体１、２を図１に示した閉じた状態から図３に示した開いた状態まで揺動させることができる。さらに、各シェル半体１、２は例えばスナップ式の留め具のような、解放可能な留め手段１３の部分１１、１２をそれぞれ有する。シェル半体１、２が結合されたとき、発泡プラスチックの弾力があり弾性的な層８、９の間に配置されたケーブル１４が挟持され、摩擦手段により火災報知器がケーブル１４に固定される。
【００１４】
図５は天井に近接してケーブル１４に簡単に取付けられた火災報知器を示す。このとき、ケーブル１４の上端は天井から吊されて電気ソケットに接続され、他方の端部で電灯を保持する。
【００１５】
ケーブル１４と協働する発泡ゴムストリップまたは発泡ゴム層８および９の表面はケーブルとの当接圧が大きくなるように各シェル半体の開口面より僅かに上方に配置されてもよい。発泡ストリップ８、９の一方を除去して、その代わりに支持面を配置してもよい。
【００１６】
発泡ゴムストリップに代わって、図４に示したようにケーブルを湾曲させるための杭を形成するようにシェル開口４、５間の通路において軸線７に対して垂直に延びる杭を使用することも考えられる。杭１６は各シェル半体の分割平面６より僅かに内側に配置された支持プレート１７から垂直に延びる。図４に示した実施例により提供される利点は少なくとも一つの杭１６をケーブル１４に対応するチェーンの輪に通すことにより、火災報知器をチェーンに形状的に連結することができることにある。
【００１７】
もちろん支持プレート１７は図３に示した実施例の発泡プラスチックストリップ８、９と同じ機能を提供する弾力があり弾性的な材料で覆われてもよい。また、ストリップ８、９に概して硬い弾性材料を使用することも考えられるが、好ましくは、これらストリップ８、９は弾力があり弾性的なゴム材料または発泡プラスチック材料を具備する。
【図面の簡単な説明】
【図１】  本発明の火災報知器の端面図である。
【図２】  火災報知器の側面図である。
【図３】  開いた状態の火災報知器の側面図である。
【図４】  火災報知器の別の実施例を示す図３に対応した図である。
【図５】  天井に懸垂された照明器具の懸垂ケーブルに取付けられた本発明の火災報知器を示す図である。
【図１】
0003844966.tif 000002
【図２】
0003844966.tif 000003
【図３】
0003844966.tif 000004
【図４】
0003844966.tif 000005
【図５】
0003844966.tif 000006